(57)【要約】【課題】コストを抑え、構成を簡単にすることにある。【解決手段】空気調和機１の室内機２に接続される空気調和機１の室外機３であって、ケーシング３１と、電装品ユニット５と、電装品ユニット支持部材３１２と、遮蔽板６と、を備えている。電装品ユニット５は、ケーシング３１の内部に配置され、室内機２からの複数の配線が接続可能な端子板５３を有する。電装品ユニット支持部材３１２は、端子部５３の近傍に位置する開口を有し、電装品ユニット５を支持する。遮蔽板６は、開口を覆う覆い部６１と、端子板５３が開口に配置されている際に、複数の配線を実質的に隙間無く支持するとともに電装品ユニット５側と外部側とを遮断する遮断壁６２とを有する。【選択図】図１
2008082578.tif 000002
【特許請求の範囲】
【請求項１】
空気調和機（１）の室内機（２）に接続される前記空気調和機（１）の室外機（３）であって、
ケーシング（３１）と、
前記ケーシング（３１）の内部に配置され、前記室内機（２）からの複数の配線が接続可能な端子部（５３）を有する電装品ユニット（５）と、
前記ケーシング（３１）の一部であって、前記端子部（５３）の近傍に位置する開口（３１２ａ）を有し、前記電装品ユニット（５）を支持する電装品ユニット支持部材（３１２）と、
前記開口（３１２ａ）を覆う覆い部（６１）と、前記端子部（５３）が前記開口（３１２ａ）に配置されている際に、前記複数の配線を実質的に隙間無く支持するとともに前記電装品ユニット（５）側と外部側とを遮断する遮断壁（６２）と、を有する遮蔽板（６）と、
を備えた空気調和機（１）の室外機（３）。
【請求項２】
前記遮蔽板（６）は不燃性樹脂素材によって成型されている、請求項１に記載の空気調和機（１）の室外機（３）。
【請求項３】
前記遮蔽板（６）の外部に配置され、前記ケーシング（３１）の一部である樹脂製カバー（３１３）をさらに備えた、請求項１から３のいずれかに記載の空気調和機（１）の室外機（３）。
【請求項４】
複数の配線が配置された端子部（５３）を有する電装品ユニット（５）と、前記端子部（５３）の近傍に位置する開口（３１２ａ）を有し前記電装品ユニット（５）を支持する電装品ユニット支持部材（３１２）と、を備えた空気調和機（１）の室外機（３）に用いられる空気調和機（１）の室外機用遮蔽板（６）であって、
前記開口（３１２ａ）を覆う覆い部（６１）と、
前記端子部（５３）が前記開口（３１２ａ）に配置されている際に、前記複数の配線を実質的に隙間無く支持するとともに前記電装品ユニット（５）側と外部側とを遮断する遮断壁（６２）と、
を備えた空気調和機（１）の室外機用遮蔽板（６）。
【請求項５】
不燃性樹脂素材によって成型されている、請求項４に記載の空気調和機（１）の室外機用遮蔽板（６）。
【発明の詳細な説明】
【技術分野】
【０００１】
本発明は、空気調和機の室外機及び空気調和機の室外機に用いられる遮蔽板に関する。
【背景技術】
【０００２】
空気調和機の室外機は、一般に難燃性材料からなる室外機ケーシングと、熱交換器と、室外ファンと、圧縮機と、リアクタ等の電装品ユニットとを有しているものが多い。また、室外機ケーシング内には、熱交換器、室外ファン、圧縮機、リアクタやパワートランジスタ、コンデンサ等の各種電装品を内蔵する電装品ユニット等が配置されている。この電装品ユニットは複数の配線が接続される端子部を有しており、例えば、この端子部に室外機の外部の電源から電力が供給され、室外ファンや圧縮機などに駆動電力が供給されると共に、それらが駆動制御される。また、端子板には室内機から延びる信号線が接続され、室内機と室外機との間で信号の交換を行っている。
【０００３】
ここで、特許文献１に記載されているように、電装品ユニットの端子部は耐火対策のために金属板によって覆われていることが多い。また、複数の配線を室外機の外部から接続させるために、室外機ケーシングには開口が設けられている。そして、この開口から虫が内部に入り込むのを防止するために、樹脂で形成された虫進入防止部材が設けられている。
【特許文献１】特開平７−６３３７６号公報
【発明の開示】
【発明が解決しようとする課題】
【０００４】
特許文献１に記載の空気調和機の室外機では、耐火対策のための金属板と虫進入防止のための樹脂部材とを設ける必要があるために、コストが高くなる。また、２つの部材を配置する必要があり、構成が複雑になる。
【０００５】
本発明の課題は、コストを抑え、構成を簡単にすることにある。
【課題を解決するための手段】
【０００６】
発明１に係る空気調和機の室外機は、空気調和機の室内機に接続される空気調和機の室外機であって、ケーシングと、電装品ユニットと、電装品ユニット支持部材と、遮蔽板と、を備えている。電装品ユニットは、ケーシングの内部に配置され、室内機からの複数の配線が接続可能な端子部を有する。電装品ユニット支持部材は、端子部の近傍に位置する開口を有し、電装品ユニットを支持する。遮蔽板は、開口を覆う覆い部と、端子部が開口に配置されている際に、複数の配線を実質的に隙間無く支持するとともに電装品ユニット側と外部側とを遮断する遮断壁とを有する。
【０００７】
この空気調和機の室外機では、ケーシングの内部に電装品ユニットが配置されており、電装品ユニット支持部材の開口が端子部の近傍に位置している。そして、電装品ユニット支持部材の開口を覆うように遮蔽板が配置されている。ここで、遮蔽板の遮断壁によって複数の配線を実質的に隙間無く支持するとともに電装品ユニット側と外部側とを遮断している。
【０００８】
ここでは、一つの部材によって、実質的に隙間無く複数の配線が支持され、虫進入防止を行うことができるために、コストを抑え、構成を簡単にすることができる。
【０００９】
発明２に係る空気調和機の室外機は、発明１に記載の空気調和機の室外機であって、遮蔽板は不燃性樹脂素材によって成型されている。
【００１０】
この空気調和機の室外機では、遮蔽板は、例えばポリフェノールなどの不燃性樹脂素材によって成型されている。
【００１１】
ここでは、端子部の近傍が熱によって発火した場合であっても、遮蔽板が不燃性樹脂素材で成型されているために発火しない。このために、他の部品が燃えるのを防止できる。また、樹脂素材によって成型されるために、金属によって成型される場合と比較して複雑な形状であっても容易に成型することができる。
【００１２】
発明３に係る空気調和機の室外機は、発明１又は２に記載の空気調和機の室外機であって、遮蔽板の外部に配置され、ケーシングの一部である樹脂製カバーをさらに備えている。
【００１３】
この空気調和機の室外機では、電装品支持部材の開口を覆うように遮蔽板が配置され、さらにその外部に樹脂製カバーが配置されている。
【００１４】
ここでは、端子部等が配置されているケーシング内部に雨水などが入り込みにくくなる。
【００１５】
発明４に係る空気調和機の室外機用遮蔽板は、複数の配線が配置された端子部を有する電装品ユニットと、端子部の近傍に位置する開口を有するとともに電装品ユニットを支持する電装品ユニット支持部材と、を備えた空気調和機の室外機に用いられる空気調和機の室外機用遮蔽板であって、覆い部と、遮断壁とを備えている。覆い部は、開口を覆う。遮断壁は、端子部が開口に配置されている際に、複数の配線を実質的に隙間無く支持するとともに電装品ユニット側と外部側とを遮断する。
【００１６】
この遮蔽板では、覆い部によって電装品ユニット支持部材の開口を覆うとともに、端子部が開口に配置されている際に、複数の配線を実質的に隙間無く支持するとともに電装品ユニット側と外部側とを遮断する。ここで、実質的に隙間無く支持するとは虫が内部に入り込む隙間がないことを意味する。
【００１７】
ここでは、１つの部品によって耐熱対策及び虫の進入対策をすることができるために、コストを抑えることができ、構成を簡単にすることができる。
【００１８】
発明５に係る空気調和機の室外機用遮蔽板は、発明４に係る空気調和機の室外機用遮蔽板であって、不燃性樹脂素材によって成型されている。
【００１９】
この空気調和機の室外機用遮蔽板では、例えばフェノール等の不燃性樹脂素材によって成型制されている。
【００２０】
ここでは、端子部の近傍が熱によって発火した場合であっても、遮蔽板が不燃性樹脂素材で成型されているために発火しない。このために、他の部品が燃えるのを防止できる。また、樹脂素材によって成型されるために、金属によって成型される場合と比較して複雑な形状であっても容易に成型することができる。
【発明の効果】
【００２１】
発明１に係る空気調和機の室外機では、一つの部材によって、実質的に隙間無く複数の配線が支持され、虫進入防止を行うことができるために、コストを抑え、構成を簡単にすることができる。
【００２２】
発明２に係る空気調和機の室外機では、端子部の近傍が熱によって発火した場合であっても、遮蔽板が不燃性樹脂素材で成型されているために発火しない。このために、他の部品が燃えるのを防止できる。
【００２３】
発明３に係る空気調和機の室外機では、端子部等が配置されているケーシング内部に雨水などが入り込みにくくなる。
【００２４】
発明４に係る空気調和機の室外機用遮蔽板では、１つの部品によって耐熱対策及び虫の進入対策をすることができるために、コストを抑えることができ、構成を簡単にすることができる。
【００２５】
発明５に係る空気調和機の室外機用遮蔽板では、端子部の近傍が熱によって発火した場合であっても、遮蔽板が不燃性樹脂素材で成型されているために発火しない。このために、他の部品が燃えるのを防止できる。また、樹脂素材によって成型されるために、金属によって成型される場合と比較して複雑な形状であっても容易に成型することができる。
【発明を実施するための最良の形態】
【００２６】
１．構成
図１に本発明の一実施形態に係る室外機３を備えた空気調和機１を示す。空気調和機１は、室内に取り付けられる室内機２と、屋外に設置される室外機３と、室外機３と室内機２とを結ぶ冷媒配管４とを備えている。本発明は室外機３に関するものであるため、以下に主に室外機３について詳述する。
【００２７】
室外機３の概略を図２及び図３に示す。ここで、図３は室外機３のケーシング３１を省略した室外機３を示す図である。室外機３は、主として、ケーシング３１と、熱交換器３２と、圧縮機３３と、送風部３４と、電装品ユニット５と、遮蔽板６とを備えている。そして、室外機３の内部は、仕切り板３５によって、電装品ユニット５や圧縮機３３が配置される機械室３６と、熱交換器３２やファン３４３などが配置された通風室３７とに分けられている。仕切り板３５は、図５に示すように、薄板部材であって、略長方形状の切り欠き部３５１を有している。この切り欠き部３５１の上部には所定長さのレール３５２が設けられており、下部には長方形の孔３５３を有する板状部材３５４が設けられている。なお、遮蔽板６については後に詳述する。
【００２８】
ケーシング３１は、略直方体形状の部材であって、送風口３１１ａと吸気口（図示せず）を有している。この送風口３１１ａ及び吸気口は通風室３７側に配置されている。なお、ケーシング３１についてはさらに詳細に以下に説明する。
【００２９】
熱交換器３２は、図３に示すように、Ｌ字状に形成された機器である。熱交換器３２は、複数のフィンをＬ字になるように配置して形成されたフィン部分３２１と、フィン部分３２１によって支持され複数回折り曲げられて配置された配管３２２とを有する。この配管３２２の内部には冷媒、例えばフルオロカーボンなどが流れている。
【００３０】
圧縮機３３は、機械室３６の仕切り板３５の近傍に配置されており、冷媒を圧縮するための機械である。例えば、低圧の冷媒ガスを圧縮して高圧の冷媒ガスにする機械である。また、圧縮機３３は電装品ユニット５の下側に配置されている。さらに、圧縮機３３は、円柱状のケース３３１と、冷媒を圧縮する機構及び電動機など（図示せず）とを有している。冷媒を圧縮する機構及び電動機などは円柱状のケース３３１の内部に配置されている。
【００３１】
送風部３４は、通風室３７に設けられた部材であって、通風室３７内の空気を外部に送風するための部分である。また、送風部３４は、ファンモータ３４１と、ファン台３４２と、ファン３４３とを備えている。ファンモータ３４１は、ファン３４３を回転させる動力を発生させるものであって、円柱状のモータ部３４１ａと、円柱状のモータ部３４１ａによって回転させられ円柱状のモータ部３４１ａから送風口３１１ａ側に向かって突出する回転軸３４１ｂとを有する。ファン台３４２は、熱交換器３２に取り付けられた部材であって、固定部３４２ａと、支持部材突出部３４２ｂと、ファンモータ支持部３４２ｃとを有している。固定部３４２ａは熱交換器３２の上側に配置される部分である。支持部材突出部３４２ｂは固定部３４２ａから送風口３１１ａ側に突出する部分である。また、支持部材突出部３４２ｂの送風口３１１ａ側先端は図３の下側に向かって折り曲げられている。さらに、支持部材突出部３４２ｂの中央には大きな略長方形の孔が設けられている。ファンモータ支持部３４２ｃは、支持部材突出部３４２ｂから鉛直方向下方側に向かってケーシング３１の底まで延びる板状の部分であって、ファンモータ３４１が取り付けられる部分である。また、ファンモータ支持部３４２ｃは、長手方向に直交する方向の両端が折り曲げられており、平板で構成するよりも強度が高くなっている。なお、ファンモータ３４１と、ファン台３４２と、ファン３４３との重量の大部分はファンモータ支持部３４２ｂを介してケーシング３１の底によって支持されている。ファン３４３は、ファンモータ３４１の回転軸３４１ｂに取り付けられた部材であって、室外機３内の空気を送風口３１１ａから送り出す部材である。また、ファン３４３は、回転軸３４１ｂに対して相対回転不能に取り付けられた筒状部分３４３ａと、筒状部分３４３ａの側面に取り付けられた３枚の羽根部材３４３ｂを有している。さらに、ファン３４３は通風室３７の空気を外部に排出するために送風口３１１ａに向かって配置されている。
【００３２】
電装品ユニット５は、圧縮機３３の上側に配置されており、仕切り板３５とケーシング３１とによって支持されている。また、電装品ユニット５は、図４に示すように、支持部材５１と、リアクタ５２１を含む複数の電装品５２と、端子板５３とを有している。
【００３３】
支持部材５１は、電装品５２を支持するための部材であって、リアクタ５２１以外の電装品を配置する配置部５１１と、配置部５１１から突出して設けられ、リアクタ５２１を配置する突出部５１２と、突出部５１２の端部から下方に延びて配置され、端子板５３を配置する下方板状部５１３とを有している。下方板状部５１３の下端部には、端子部５３に接続された複数の配線を支持するための配線支持部５１４が設けられている。また、支持部材５１は不燃性樹脂素材によって形成されている。そして、配置部５１１の下端部と下方板状部５１３の下端部の高さ位置はほぼ同じである。
【００３４】
複数の電装品５２は、支持部材５１に支持される部材であって、パワートランジスタ、複数のコンデンサなどである。リアクタ５２１は、電装品５２の一つであって、略立方体状の部材である。また、リアクタ５２１は、支持部材５１の突出部５１２に固定されており、他の電装品５２から所定の間隔を空けて配置されている。パワートランジスタには放熱フィン５２２が装着されている。放熱フィン５２２は、パワートランジスタからの熱を逃がす為の機器であって、仕切り板３５の切り欠き部３５１に配置されている（図５参照）。また、放熱フィン５２２の近傍には差し込み口５２３が設けられている。この差し込み口５２３は、支持部材５１と、支持部材５１から所定の間隔（仕切り板３５のレール３５２を挿入可能な間隔）を離して設けられた差し込み板５２３ａとの間に形成されている。差し込み口５２３に仕切り板３５のレール３５２を挿入することで、電装品ユニット５が支持される。ここで、差し込み板５２３ａは支持部材５１の近傍から所定の距離だけ設けられており、仕切り板３５のレール３５２と同じ長さである。このために、仕切り板３５の切り欠き部３５１の全周が差し込み板５２３ａによって覆われることがない。このために、電装品５２が発火した場合であっても、通風室３７側に燃え移りにくくなっている。
【００３５】
端子板５３は、２つの電力供給線及び１つの信号線が接続されており、支持部材５１の下方板状部５１３に取り付けられた部材である。２つの電力供給線は、空気調和機１の室内機２に接続されており、空気調和機１の室内機２を介して電源から電気が供給される。１つの信号線は、空気調和機１の室内機２と信号をやりとりするための線である。
【００３６】
２．ケーシング及び遮蔽板
ケーシング３１は、電装品ユニット５や熱交換器３２などの外部に配置された部材であって、ケース本体３１１と、電装品ユニット支持部材３１２と、樹脂製カバー３１３とを有している。
【００３７】
ケース本体３１１は、円形の孔と、その孔を覆う網状部材とを有する送風口３１１ａ及び吸気口を有しており、熱交換器３２を囲むように配置されている。また、ケース本体３１１は、電装品ユニット５の近傍に第１開口３１１ｂを有している。
【００３８】
電装品ユニット支持部材３１２は、ケース本体３１１の第１開口３１１ｂを塞ぐように配置された部材であって、端子板５３の近傍に第２開口３１２ａを有している。また、電装品ユニット支持部材３１２は電装品ユニット５の下方板状部５１３が固定される部材である。電装品ユニット５が電装品ユニット支持部材３１２に固定された状態で第２開口３１２ａが端子板５３に対応する位置（第２開口３１２ａから端子板５３が見える位置）に配置される。また、電装品ユニット支持部材３１２は下部に冷媒配管４が接続される閉鎖弁が通過可能な切り欠き３１２ｂを有している。この切り欠き３１２ｂは、ケース本体３１１の底面側から上側に向かって延びるように形成されており、上側先端が曲線状に形成されている。
【００３９】
樹脂製カバー３１３は、切り欠き３１２ｂと、遮蔽板６と、第２開口３１２ａとを覆うように遮蔽板６の外方に配置された部材であって、板状の部材である。また、樹脂製カバー３１３は冷媒配管４の一部を覆っている。
【００４０】
遮蔽板６は、第２開口３１２ａを覆うための部材であって、薄板状の部材である。また、遮蔽板６は、不燃性樹脂素材であるフェノールによって成型され、図６に示すように、覆い部６１と、遮断壁６２と、固定部６３とを有している。覆い部６１は、板状の部分であって、第２開口３１２ａとほぼ同じ形状の部分である。遮断壁６２は、遮蔽板６の下部分に設けられており、覆い部６１に対して略直交する方向に突出している。また、遮断壁６２は、上側の面に複数の突出部６２１を有しており、配線を支持する遮断壁配線支持部６２２を有している。この遮断壁配線支持部６２２は、遮断壁６２の一部を電装品ユニット５が配置されている側の逆側に窪ませて成型された部分であって、図７に示すように配線をほぼ隙間無く支持している。ここで、ほぼ隙間無くとは、虫が入ることができる隙間が無いことを意味している。固定部６３は、遮蔽板６を電装品ユニット５に固定するための部材であって、ネジが貫通可能な孔を有している。また、固定部６３は覆い部６１の上部に設けられた部分である。
【００４１】
３．特徴
この室外機３では、電装品ユニット５の端子板５３に接続された配線を遮蔽板６の遮断壁配線支持部６２２によって、ほぼ隙間無く支持することができる。このために、虫が機械室３６に入り込みにくくなる。このため、虫が機械室３６内に入り込むことで引き起こされる可能性のある弊害（例えば、電位差の異なる配線間に虫などが入り込んで短絡することによる故障）を防止できる。また、遮蔽板６が不燃性素材によって形成されており、遮断壁６２によって電装品ユニット５側と外部側とを遮断できるために、電装品ユニット５などが発火した場合であっても、外部側に燃え移りにくくすることができる。樹脂製カバー３１３を遮蔽板６の外部に配置しているために完全に外部から雨や水などが入り込みにくくなる。さらに、遮蔽板６は不燃性樹脂素材によって形成されているために複雑な形状であっても製造しやすい。
【００４２】
この電装品ユニット５の支持部材５１は、電装品５２を支持する配置部５１１と、配置部５１１からケーシング３１の端部に向かって突出する突出部５１２を有し、突出部５１２にリアクタ５２１が取り付けられているために、電装品５２とリアクタ５２１とを近い位置に配置することができる。このために、電装品５２とリアクタ５２１とを一つのユニットとして扱うことができ、設計の自由度が増す。さらに、電装品５２から離れた位置であって電装品５２の上側にリアクタ５２１を配置するために、リアクタ５２１が発熱した場合であっても他の電装品５２に影響を与えにくくなる。そして、電装品ユニット５に端子板５３を配置することができるために、配線などの材料を削減することができ、コストを抑えることができる。配置部５１１に支持された電装品５２の下側端部の高さ位置が、下方板状部５１３の下側端部の高さ位置とほぼ同じ位置であるために、机などに電装品ユニット５を置く場合に電装品ユニット５の姿勢を図２のような姿勢に保つことができる。また、支持部材５１が防炎素材によって形成されているために、電装品５２が発火した場合であっても、他の部材に影響を与えにくくすることができる。
【図面の簡単な説明】
【００４３】
【図１】空気調和器１の全体図。
【図２】ケーシング３１の一部を取り外した空気調和器１の室外機３を示す図。
【図３】ケーシング３１を取り除いた空気調和器１の室外機３を示す図。
【図４】電装品ユニット５を示す図。
【図５】電装品ユニット５と仕切り板３５とを示す図。
【図６】遮蔽板６を示す図。
【図７】遮蔽板６の遮断壁配線支持部６２２によって配線を指示している状態を示す図。
【符号の説明】
【００４４】
１  空気調和機
２  室内機
３  室外機
５  電装品ユニット
６  遮蔽板
３１  ケーシング
５１  支持部材
５３  端子板（端子部）
６１  覆い部
６２  遮断壁
３１２  電装品ユニット支持部材
３１２ａ  第２開口
３１３  樹脂製カバー
【図１】
2008082578.tif 000003
【図２】
2008082578.tif 000004
【図３】
2008082578.tif 000005
【図４】
2008082578.tif 000006
【図５】
2008082578.tif 000007
【図６】
2008082578.tif 000008
【図７】
2008082578.tif 000009
【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
空気調和機（１）の室内機（２）に接続される前記空気調和機（１）の室外機（３）であって、
ケーシング（３１）と、
前記ケーシング（３１）の内部に配置され、前記室内機（２）からの複数の配線が接続可能な端子部（５３）を有する電装品ユニット（５）と、
前記ケーシング（３１）の一部であって、前記端子部（５３）の近傍に位置する開口（３１２ａ）を有し、前記電装品ユニット（５）を支持する電装品ユニット支持部材（３１２）と、
前記開口（３１２ａ）を覆う覆い部（６１）と、前記端子部（５３）が前記開口（３１２ａ）に配置されている際に、前記複数の配線を実質的に隙間無く支持するとともに前記電装品ユニット（５）側と外部側とを遮断する遮断壁（６２）と、を有する遮蔽板（６）と、
を備え、
前記遮蔽板（６）は、不燃性樹脂素材によって成型されている、
空気調和機（１）の室外機（３）。
【請求項２】
前記遮蔽板（６）の外部に配置され、前記ケーシング（３１）の一部である樹脂製カバー（３１３）をさらに備えた、請求項１に記載の空気調和機（１）の室外機（３）。
【請求項３】
複数の配線が配置された端子部（５３）を有する電装品ユニット（５）と、前記端子部（５３）の近傍に位置する開口（３１２ａ）を有し前記電装品ユニット（５）を支持する電装品ユニット支持部材（３１２）と、を備えた空気調和機（１）の室外機（３）に用いられる空気調和機（１）の室外機用遮蔽板（６）であって、
前記開口（３１２ａ）を覆う覆い部（６１）と、
前記端子部（５３）が前記開口（３１２ａ）に配置されている際に、前記複数の配線を実質的に隙間無く支持するとともに前記電装品ユニット（５）側と外部側とを遮断する遮断壁（６２）と、
を備え、
不燃性樹脂素材によって成型されている、
空気調和機（１）の室外機用遮蔽板（６）。
【手続補正２】
【補正対象書類名】明細書
【補正対象項目名】０００６
【補正方法】変更
【補正の内容】
【０００６】
発明１に係る空気調和機の室外機は、空気調和機の室内機に接続される空気調和機の室外機であって、ケーシングと、電装品ユニットと、電装品ユニット支持部材と、遮蔽板と、を備えている。電装品ユニットは、ケーシングの内部に配置され、室内機からの複数の配線が接続可能な端子部を有する。電装品ユニット支持部材は、端子部の近傍に位置する開口を有し、電装品ユニットを支持する。遮蔽板は、開口を覆う覆い部と、端子部が開口に配置されている際に、複数の配線を実質的に隙間無く支持するとともに電装品ユニット側と外部側とを遮断する遮断壁とを有する。そして、遮蔽板は、不燃性樹脂素材によって成型されている。
【手続補正３】
【補正対象書類名】明細書
【補正対象項目名】０００７
【補正方法】変更
【補正の内容】
【０００７】
この空気調和機の室外機では、ケーシングの内部に電装品ユニットが配置されており、電装品ユニット支持部材の開口が端子部の近傍に位置している。そして、電装品ユニット支持部材の開口を覆うように遮蔽板が配置されている。ここで、遮蔽板の遮断壁によって複数の配線を実質的に隙間無く支持するとともに電装品ユニット側と外部側とを遮断している。そして、遮蔽板は、例えばポリフェノールなどの不燃性樹脂素材によって成型されている。
【手続補正４】
【補正対象書類名】明細書
【補正対象項目名】０００８
【補正方法】変更
【補正の内容】
【０００８】
ここでは、一つの部材によって、実質的に隙間無く複数の配線が支持され、虫進入防止を行うことができるために、コストを抑え、構成を簡単にすることができる。また、端子部の近傍が熱によって発火した場合であっても、遮蔽板が不燃性樹脂素材で成型されているために発火しない。このために、他の部品が燃えるのを防止できる。また、樹脂素材によって成型されるために、金属によって成型される場合と比較して複雑な形状であっても容易に成型することができる。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
発明２に係る空気調和機の室外機は、発明１に記載の空気調和機の室外機であって、遮蔽板の外部に配置され、ケーシングの一部である樹脂製カバーをさらに備えている。
【手続補正９】
【補正対象書類名】明細書
【補正対象項目名】００１５
【補正方法】変更
【補正の内容】
【００１５】
発明３に係る空気調和機の室外機用遮蔽板は、複数の配線が配置された端子部を有する電装品ユニットと、端子部の近傍に位置する開口を有するとともに電装品ユニットを支持する電装品ユニット支持部材と、を備えた空気調和機の室外機に用いられる空気調和機の室外機用遮蔽板であって、覆い部と、遮断壁とを備えている。覆い部は、開口を覆う。遮断壁は、端子部が開口に配置されている際に、複数の配線を実質的に隙間無く支持するとともに電装品ユニット側と外部側とを遮断する。そして、室外機用遮蔽板は、不燃性樹脂素材によって成型されている。
【手続補正１０】
【補正対象書類名】明細書
【補正対象項目名】００１６
【補正方法】変更
【補正の内容】
【００１６】
この遮蔽板では、覆い部によって電装品ユニット支持部材の開口を覆うとともに、端子部が開口に配置されている際に、複数の配線を実質的に隙間無く支持するとともに電装品ユニット側と外部側とを遮断する。ここで、実質的に隙間無く支持するとは虫が内部に入り込む隙間がないことを意味する。また、室外機用遮蔽板は、例えばフェノール等の不燃性樹脂素材によって成型されている。
【手続補正１１】
【補正対象書類名】明細書
【補正対象項目名】００１７
【補正方法】変更
【補正の内容】
【００１７】
ここでは、１つの部品によって耐熱対策及び虫の進入対策をすることができるために、コストを抑えることができ、構成を簡単にすることができる。また、端子部の近傍が熱によって発火した場合であっても、遮蔽板が不燃性樹脂素材で成型されているために発火しない。このために、他の部品が燃えるのを防止できる。また、樹脂素材によって成型されるために、金属によって成型される場合と比較して複雑な形状であっても容易に成型することができる。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
発明１に係る空気調和機の室外機では、一つの部材によって、実質的に隙間無く複数の配線が支持され、虫進入防止を行うことができるために、コストを抑え、構成を簡単にすることができる。また、端子部の近傍が熱によって発火した場合であっても、遮蔽板が不燃性樹脂素材で成型されているために発火しない。このために、他の部品が燃えるのを防止できる。
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】変更
【補正の内容】
【００２３】
発明２に係る空気調和機の室外機では、端子部等が配置されているケーシング内部に雨水などが入り込みにくくなる。
【手続補正１８】
【補正対象書類名】明細書
【補正対象項目名】００２４
【補正方法】変更
【補正の内容】
【００２４】
発明３に係る空気調和機の室外機用遮蔽板では、１つの部品によって耐熱対策及び虫の進入対策をすることができるために、コストを抑えることができ、構成を簡単にすることができる。そして、端子部の近傍が熱によって発火した場合であっても、遮蔽板が不燃性樹脂素材で成型されているために発火しない。このために、他の部品が燃えるのを防止できる。また、樹脂素材によって成型されるために、金属によって成型される場合と比較して複雑な形状であっても容易に成型することができる。
【手続補正１９】
【補正対象書類名】明細書
【補正対象項目名】００２５
【補正方法】削除
【補正の内容】